Podtech/llm-jp-corpus-v4-ja_patent huggingface dataset:
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
負荷が必要とする電力を分担して供給する複数のバッテリユニットを判別する判別部と、
前記複数のバッテリユニットがそれぞれ有するバッテリの状況に応じて、前記複数のバッテリユニットに対する放電制御を行う制御部と
を備える制御装置。
【請求項２】
前記制御部は、
前記複数のバッテリユニット毎の放電量を決定することで前記放電制御を行う請求項１に記載の制御装置。
【請求項３】
前記制御部は、
基準信号に対する放電期間を設定することで前記バッテリユニット毎の放電量を決定する請求項２に記載の制御装置。
【請求項４】
所定のバッテリユニットが放電処理を行う放電期間と、他のバッテリユニットが放電処理を行う放電期間とが重複する請求項３に記載の制御装置。
【請求項５】
前記バッテリの状況は、バッテリの残容量、バッテリの使用履歴およびバッテリの温度の少なくとも一つである請求項１乃至４のいずれか１項に記載の制御装置。
【請求項６】
前記判別部は、
前記バッテリユニットを前記負荷に対して順次、接続していき、該接続されたバッテリユニットから供給される電圧を監視することで、前記複数のバッテリユニットを判別する請求項１乃至５のいずれか１項に記載の制御装置。
【請求項７】
負荷が必要とする電力を分担して供給する複数のバッテリユニットを判別し、
前記複数のバッテリユニットがそれぞれ有するバッテリの状況に応じて、前記複数のバッテリユニットに対する放電制御を行う
制御装置における制御方法。
【請求項８】
複数のバッテリユニットと、
前記複数のバッテリユニットと接続される制御装置と
を備え、
前記制御装置は、
前記複数のバッテリユニットの中から、負荷が必要とする電力を分担して供給する複数のバッテリユニットを判別する判別部と、
該複数のバッテリユニットがそれぞれ有するバッテリの状況に応じて、該複数のバッテリユニットに対する放電制御を行う制御部と
を備える制御システム。
【手続補正２】
【補正対象書類名】明細書
【補正対象項目名】００２６
【補正方法】変更
【補正の内容】
【００２６】
バッテリＢａから出力された電力がディスチャージャー回路４２ａに供給される。バッテリＢａからは、例えば、１２〜５５Ｖ程度の範囲のＤＣ電圧が出力される。ディスチャージャー回路４２ａによって、バッテリＢａから供給されたＤＣ電圧がＤＣ電圧Ｖ１３に変換される。電圧Ｖ１３は、例えば、４８ＶのＤＣ電圧である。電圧Ｖ１３が、電力ラインＬ２を介して、ディスチャージャー回路４２ａからコントロールユニットＣＵに対して出力される。なお、バッテリＢａから出力されたＤＣ電圧が、ディスチャージャー回路４２ａを介さずに、外部機器に対して直接、供給されるようにしてもよい。
【手続補正３】
【補正対象書類名】明細書
【補正対象項目名】００８２
【補正方法】変更
【補正の内容】
【００８２】
なお、ＣＰＵ４５の制御によって、ディスチャージャー回路４２ａのオン／オフを切り換えることができる（図中のＣＰＵ４５からディスチャージャー回路４２ａに出ているＯＮ／ＯＦＦ信号線）。例えば、スイッチＳＷ６の出力側に、図示しないスイッチＳＷ（説明の便宜を考慮して、スイッチＳＷ１０と称する）が設けられている。スイッチＳＷ１０は、ディスチャージャー回路４２ａを経由する第１の経路と、ディスチャージャー回路４２ａを経由しない第２の経路とを切り換えるスイッチである。
【手続補正４】
【補正対象書類名】明細書
【補正対象項目名】０１２７
【補正方法】変更
【補正の内容】
【０１２７】
一方、太陽電池の電圧−電流特性を表す曲線が曲線Ｃ８である場合には、ＭＰＰＴ制御の動作点と電圧追従法による制御の動作点との間の乖離の度合いが大きい。例えば、図９Ａに示すように、ＭＰＰＴ制御を適用したときの端子電圧と電圧追従法による制御を適用したときの端子電圧との差△Ｖ６および△Ｖ８を比較すると、△Ｖ６＜△Ｖ８となっている。そのため、太陽電池の電圧−電流特性を表す曲線が曲線Ｃ８である場合には、ＭＰＰＴ制御を適用したときに太陽電池から得られる発電電力と電圧追従法による制御を適用したときに太陽電池から得られる発電電力との差は大きい。
【手続補正５】
【補正対象書類名】明細書
【補正対象項目名】０１３５
【補正方法】変更
【補正の内容】
【０１３５】
例えば、コントロールユニットＣＵの入力側に太陽電池が、出力側にバッテリユニットＢＵａが接続されているとする。また、例えば、太陽電池の出力電圧の上限が１００Ｖであるものとし、太陽電池の出力電圧の下限を７５Ｖに抑えたいとする。すなわち、Ｖｔ0＝７５Ｖと設定されており、オペアンプ３５の反転入力端子に対する入力電圧が、（ｋｃ・７５）Ｖであるとする。
【手続補正６】
【補正対象書類名】明細書
【補正対象項目名】０１９１
【補正方法】変更
【補正の内容】
【０１９１】
「負荷判断処理と放電制御処理」
ところで、複数のバッテリユニットのバッテリの出力電圧が異なる場合に、複数のバッテリユニットを並列接続して動作させることを想定する。動作が開始されると、一般に、最も高い出力電圧のバッテリが放電することになり、特定のバッテリのみが消耗する。さらに、出力元のバッテリを切り替えた場合に、出力電圧が変動する。この出力電圧の変動が、出力電圧の供給を受ける負荷（外部機器）に対するノイズとなり、負荷に悪影響を与えるおそれがある。切り替わった出力電圧が小さく、負荷の消費電力が大きければ、電圧がドロップしてしまうこともある。
【手続補正７】
【補正対象書類名】明細書
【補正対象項目名】０２２６
【補正方法】変更
【補正の内容】
【０２２６】
ｔ２のタイミングでバッテリユニットＢＵｃが放電処理を開始する。バッテリユニットＢＵｃ１台の出力で、負荷が必要とする電力を供給できることは、上述した負荷判断処理で確認されている。放電処理によってバッテリＢｃから放電がなされ、バッテリユニットＢＵｃから電圧が出力される。バッテリユニットＢＵｃは、ｔ３のタイミングで放電処理を停止する。ｔ２およびｔ３は、上述した指示信号の指示内容（コマンドデータ）に規定されている。バッテリユニットＢＵｃは、ｔ１ｃで示す放電期間の間、放電処理を行う。
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
状態の変化に応じて変動する電圧が、発電部から供給される供給部と、
前記電圧と基準値との関係に応じて、充電を行うバッテリユニットの台数を変更する制御部と
を備える制御装置。
【請求項２】
前記制御部は、
前記電圧が前記基準値より大きい場合に前記台数を増やし、前記電圧が前記基準値より小さい状態が所定時間継続した場合に前記台数を減らす請求項１に記載の制御装置。
【請求項３】
前記制御部は、
前記電圧が前記基準値より小さい場合に第１の電力を算出し、前記第１の電力が、前記バッテリユニットが有する充電制御部の消費電力より大きい場合に前記台数を減らし、
前記電圧が前記基準値より大きい場合に第２の電力を算出し、前記第２の電力が、前記バッテリユニットが有する充電制御部の消費電力より大きい場合に前記台数を増やす請求項１に記載の制御装置。
【請求項４】
前記第１の電力は、前記発電部が供給する電力と前記台数を減らしたときの前記バッテリユニットにおける合計電力との差分であり、
前記第２の電力は、前記発電部が供給する電力と前記バッテリユニットにおける合計電力との差分である請求項３に記載の制御装置。
【請求項５】
前記発電部は、太陽光発電部で構成される請求項１乃至４のいずれか１項に記載の制御装置。
【請求項６】
状態の変化に応じて変動する電圧が発電部から供給され、
前記電圧と基準値との関係に応じて、充電を行うバッテリユニットの台数を変更する
制御方法。
【手続補正２】
【補正対象書類名】明細書
【補正対象項目名】００２５
【補正方法】変更
【補正の内容】
【００２５】
バッテリＢａから出力された電力がディスチャージャー回路４２ａに供給される。バッテリＢａからは、例えば、１２〜５５Ｖ程度の範囲のＤＣ電圧が出力される。ディスチャージャー回路４２ａによって、バッテリＢａから供給されたＤＣ電圧がＤＣ電圧Ｖ１３に変換される。電圧Ｖ１３は、例えば、４８ＶのＤＣ電圧である。電圧Ｖ１３が、電力ラインＬ２を介して、ディスチャージャー回路４２ａからコントロールユニットＣＵに対して出力される。なお、バッテリＢａから出力されたＤＣ電圧が、ディスチャージャー回路４２ａを介さずに、外部機器に対して直接、供給されるようにしてもよい。
【手続補正３】
【補正対象書類名】明細書
【補正対象項目名】００７９
【補正方法】変更
【補正の内容】
【００７９】
なお、ＣＰＵ４５の制御によって、ディスチャージャー回路４２ａのオン／オフを切り換えることができる（図中のＣＰＵ４５からディスチャージャー回路４２ａに出ているＯＮ／ＯＦＦ信号線）。例えば、スイッチＳＷ６の出力側に、図示しないスイッチＳＷ（説明の便宜を考慮して、スイッチＳＷ１０と称する）が設けられている。スイッチＳＷ１０は、ディスチャージャー回路４２ａを経由する第１の経路と、ディスチャージャー回路４２ａを経由しない第２の経路とを切り換えるスイッチである。
【手続補正４】
【補正対象書類名】明細書
【補正対象項目名】０１２４
【補正方法】変更
【補正の内容】
【０１２４】
一方、太陽電池の電圧−電流特性を表す曲線が曲線Ｃ８である場合には、ＭＰＰＴ制御の動作点と電圧追従法による制御の動作点との間の乖離の度合いが大きい。例えば、図９Ａに示すように、ＭＰＰＴ制御を適用したときの端子電圧と電圧追従法による制御を適用したときの端子電圧との差△Ｖ６および△Ｖ８を比較すると、△Ｖ６＜△Ｖ８となっている。そのため、太陽電池の電圧−電流特性を表す曲線が曲線Ｃ８である場合には、ＭＰＰＴ制御を適用したときに太陽電池から得られる発電電力と電圧追従法による制御を適用したときに太陽電池から得られる発電電力との差は大きい。
【手続補正５】
【補正対象書類名】明細書
【補正対象項目名】０１３２
【補正方法】変更
【補正の内容】
【０１３２】
例えば、コントロールユニットＣＵの入力側に太陽電池が、出力側にバッテリユニットＢＵａが接続されているとする。また、例えば、太陽電池の出力電圧の上限が１００Ｖであるものとし、太陽電池の出力電圧の下限を７５Ｖに抑えたいとする。すなわち、Ｖｔ0＝７５Ｖと設定されており、オペアンプ３５の反転入力端子に対する入力電圧が、（ｋｃ・７５）Ｖであるとする。
【手続補正６】
【補正対象書類名】明細書
【補正対象項目名】０２１７
【補正方法】変更
【補正の内容】
【０２１７】
ステップＳ１２では、受電電圧および電流値の測定が行われ、測定された受電電圧および電流値が記録される。そして、処理がステップＳ１３に進む。ステップＳ１３では、受電電圧および電流値が所定回数、記録されたか否かが判断される。所定回数、記録されていない場合は、処理がステップＳ１１に戻る。そして、所定時間が経過した後に、受電電圧および電流値の測定および記録が再度、行われる。受電電圧および電流値が所定回数、記録された場合は、処理がステップＳ１４に進む。
【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
発電部との電気的接続を切り替える第１のスイッチと、
入力電圧の大きさを取得する電圧センサと、
前記電圧センサからの入力に応じて前記第１のスイッチを制御する制御部と、
入力電圧を所望の電圧に変換して出力する電圧変換回路と
を備え、
前記入力電圧が前記電圧変換回路の起動に必要な電圧に満たなかったときに、前記入力電圧が前記電圧変換回路の起動に必要な電圧に達するまで、前記第１のスイッチのオンとオフが繰り返される電源供給装置。
【請求項２】
前記発電部と前記電圧変換回路との間の電気的接続を切り替える第２のスイッチをさらに備え、
前記入力電圧が前記電圧変換回路の起動に必要な電圧に達した後に、前記第２のスイッチがオンされる請求項１に記載の電源供給装置。
【請求項３】
前記発電部が、周囲の環境に応じて発電量の変化する発電装置を含む請求項１または２に記載の電源供給装置。
【請求項４】
前記電圧変換回路が、降圧型の電圧変換回路である請求項１乃至３のいずれか１項に記載の電源供給装置。
【請求項５】
発電部との電気的接続を切り替えるスイッチと、入力電圧の大きさを取得する電圧センサと、前記電圧センサからの入力に応じて前記スイッチを制御する制御部と、入力電圧を変換して出力する電圧変換回路とを備え、前記発電部からの入力電圧の変動に応じて、あらかじめ定められた範囲の電圧となるように出力電圧を調整する第１の装置と、
前記第１の装置から供給される入力電圧の変動に応じて、バッテリに対する充電レートを変化させる第２の装置と
を備え、
前記入力電圧が前記電圧変換回路の起動に必要な電圧に満たなかったときに、前記入力電圧が前記電圧変換回路の起動に必要な電圧に達するまで、前記スイッチのオンとオフが繰り返される電力制御システム。
【請求項６】
周囲の環境に応じて発電量の変化する発電装置からの入力電圧が負荷回路の起動のために必要な電圧に満たなかったときに、前記入力電圧が前記負荷回路の起動に必要な電圧に達するまで、前記発電装置と前記負荷回路との間に配置されたスイッチのオンとオフを繰り返させ、前記入力電圧が前記負荷回路の起動に必要な電圧に達したら、前記負荷回路への通電を開始させる電気機器の起動方法。
【手続補正２】
【補正対象書類名】明細書
【補正対象項目名】００３２
【補正方法】変更
【補正の内容】
【００３２】
バッテリＢａから出力された電力がディスチャージャー回路４２ａに供給される。バッテリＢａからは、例えば、１２〜５５Ｖ程度の範囲のＤＣ電圧が出力される。ディスチャージャー回路４２ａによって、バッテリＢａから供給されたＤＣ電圧がＤＣ電圧Ｖ１３に変換される。電圧Ｖ１３は、例えば、４８ＶのＤＣ電圧である。電圧Ｖ１３が、電力ラインＬ２を介して、ディスチャージャー回路４２ａからコントロールユニットＣＵに対して出力される。なお、バッテリＢａから出力されたＤＣ電圧が、ディスチャージャー回路４２ａを介さずに、外部機器に対して直接、供給されるようにしてもよい。
【手続補正３】
【補正対象書類名】明細書
【補正対象項目名】００８６
【補正方法】変更
【補正の内容】
【００８６】
なお、ＣＰＵ４５の制御によって、ディスチャージャー回路４２ａのオン／オフを切り換えることができる（図中のＣＰＵ４５からディスチャージャー回路４２ａに出ているＯＮ／ＯＦＦ信号線）。例えば、スイッチＳＷ６の出力側に、図示しないスイッチＳＷ（説明の便宜を考慮して、スイッチＳＷ１０と称する）が設けられている。スイッチＳＷ１０は、ディスチャージャー回路４２ａを経由する第１の経路と、ディスチャージャー回路４２ａを経由しない第２の経路とを切り換えるスイッチである。
【手続補正４】
【補正対象書類名】明細書
【補正対象項目名】０１３１
【補正方法】変更
【補正の内容】
【０１３１】
一方、太陽電池の電圧−電流特性を表す曲線が曲線Ｃ８である場合には、ＭＰＰＴ制御の動作点と電圧追従法による制御の動作点との間の乖離の度合いが大きい。例えば、図９Ａに示すように、ＭＰＰＴ制御を適用したときの端子電圧と電圧追従法による制御を適用したときの端子電圧との差△Ｖ６および△Ｖ８を比較すると、△Ｖ６＜△Ｖ８となっている。そのため、太陽電池の電圧−電流特性を表す曲線が曲線Ｃ８である場合には、ＭＰＰＴ制御を適用したときに太陽電池から得られる発電電力と電圧追従法による制御を適用したときに太陽電池から得られる発電電力との差は大きい。
【手続補正５】
【補正対象書類名】明細書
【補正対象項目名】０１３９
【補正方法】変更
【補正の内容】
【０１３９】
例えば、コントロールユニットＣＵの入力側に太陽電池が、出力側にバッテリユニットＢＵａが接続されているとする。また、例えば、太陽電池の出力電圧の上限が１００Ｖであるものとし、太陽電池の出力電圧の下限を７５Ｖに抑えたいとする。すなわち、Ｖｔ0＝７５Ｖと設定されており、オペアンプ３５の反転入力端子に対する入力電圧が、（ｋｃ・７５）Ｖであるとする。
【手続補正書】
【提出日】平成26年11月6日(2014.11.6)
【手続補正１】
【補正対象書類名】明細書
【補正対象項目名】０００６
【補正方法】変更
【補正の内容】
【０００６】
上述の課題を解決するため、本発明の画像形成装置は、原稿を読み取る読取手段と、読み取る原稿を電子文書として出力するファイル形式を設定する設定手段と、読取手段で読み取った原稿から１以上の特定の情報をコード化した画像を検出する検出手段と、検出手段で検出した１以上の特定の情報をコード化した画像から埋め込み情報を抽出する埋め込み情報抽出手段と、埋め込み情報抽出手段で抽出した埋め込み情報をメタデータとして画像ファイルに格納する格納手段と、読取手段で読み取った画像データから、検出した特定の情報をコード化した画像を除去する画像除去手段と、読み取った画像データを画像ファイルとして出力するファイル出力手段とを備え、ファイル出力手段は、設定手段で設定されたファイル形式がメタデータを格納できない場合、画像除去手段で特定の情報をコード化した画像を除去することなく、読取手段で読み取った原稿の画像データを出力することを特徴とする。
【手続補正２】
【補正対象書類名】特許請求の範囲
【補正対象項目名】全文
【補正方法】変更
【補正の内容】
【特許請求の範囲】
【請求項１】
原稿を読み取る読取手段と、
前記読み取る原稿を電子文書として出力するファイル形式を設定する設定手段と、
前記読取手段で読み取った原稿から１以上の特定の情報をコード化した画像を検出する検出手段と、
前記検出手段で検出した１以上の特定の情報をコード化した画像から埋め込み情報を抽出する埋め込み情報抽出手段と、
前記埋め込み情報抽出手段で抽出した埋め込み情報をメタデータとして画像ファイルに格納する格納手段と、
前記読取手段で読み取った画像データから、前記検出した特定の情報をコード化した画像を除去する画像除去手段と、
前記読み取った画像データを画像ファイルとして出力するファイル出力手段と
を備え、
前記ファイル出力手段は、前記設定手段で設定されたファイル形式がメタデータを格納できない場合、前記画像除去手段で特定の情報をコード化した画像を除去することなく、前記読取手段で読み取った原稿の画像データを出力することを特徴とする画像形成装置。
【請求項２】
複数ページを含む原稿を読み取る読取手段と、
前記読み取る原稿を電子文書として出力するファイル形式を設定する設定手段と、
前記読取手段で読み取った原稿から１以上の特定の情報をコード化した画像を検出する検出手段と、
前記検出手段で検出した１以上の特定の情報をコード化した画像から埋め込み情報を抽出する埋め込み情報抽出手段と、
前記埋め込み情報抽出手段で抽出した埋め込み情報をメタデータとして画像ファイルに格納する格納手段と、
前記読取手段で読み取った画像データから、前記検出した特定の情報をコード化した画像を除去する画像除去手段と、
前記読み取った画像データを画像ファイルとして出力するファイル出力手段と
を備え、
前記ファイル出力手段は、前記原稿のうち前記特定の情報をコード化した画像を有する最初のページのみ、前記抽出した埋め込み情報をメタデータとして画像ファイルに格納し、前記検出した特定の情報をコード化した画像を除去することを特徴とする画像形成装置。
【手続補正書】
【提出日】平成26年1月31日(2014.1.31)
【手続補正１】
【補正対象書類名】明細書
【補正対象項目名】００２１
【補正方法】変更
【補正の内容】
【００２１】
イメージセンサ（撮像素子）１１は複数の画素を有する光電変換デバイスである。イメージセンサ１１は、交換レンズ１００内の撮像レンズ１０１により形成された被写体像を各画素で光電変換して被写体像に対応したアナログ電気信号を出力する。また、Ａ／Ｄ変換部１２は、イメージセンサ１１から出力されたアナログ電気信号をデジタル信号に変換する。画像処理部１３は、Ａ／Ｄ変換部１２の出力するデジタル信号に対して各種の画像処理を適用し、画像データを生成する。画像処理部１３は、撮像レンズ１０１の光学特性が画像に与える影響を画像処理によって補正する光学補正機能を提供する光学補正部１３０と、画素補間処理や輝度信号処理、色信号処理など、いわゆる現像処理を行うその他画像処理部１３１とを有する。画像処理部１３にて生成された画像データは表示部１４に表示されたり、メモリカードなどの記録媒体１５に記録されたりする。
【手続補正２】
【補正対象書類名】図面
【補正対象項目名】図４
【補正方法】変更
【補正の内容】
【図４】
2014023070.tif 000001
【手続補正書】
【提出日】平成26年10月30日(2014.10.30)
【手続補正１】
【補正対象書類名】明細書
【補正対象項目名】００１７
【補正方法】変更
【補正の内容】
【００１７】
【図１】本発明の第１実施形態に係る無線通信システムを示すブロック図である。
【図２】基地局が自局の周囲に形成するセルの例を示す図である。
【図３】第１実施形態のユーザ装置の構成を示すブロック図である。
【図４】第１実施形態のマクロ基地局の構成を示すブロック図である。
【図５】第１実施形態のスモール基地局の構成を示すブロック図である。
【図６】第１実施形態のスモールセル集約ユニットの構成を示すブロック図である。
【図７】第１実施形態のスモール基地局の動的な選択動作の第１例を示す図である。
【図８】第１実施形態のスモール基地局の動的な選択動作の第２例を示す図である。
【図９】第２実施形態のスモール基地局の動的な選択動作の第１例を示す図である。
【図１０】第２実施形態のスモール基地局の動的な選択動作の第２例を示す図である。
【手続補正２】
【補正対象書類名】明細書
【補正対象項目名】００２８
【補正方法】変更
【補正の内容】
【００２８】
１（２）−４．  スモールセル集約ユニットの構成
図６は、第１実施形態に係るスモールセル集約ユニットＰｈＮＢの構成を示すブロック図である。スモールセル集約ユニットＰｈＮＢは、ネットワーク通信部４１０と記憶部４２０と制御部４３０とを備える。ネットワーク通信部４１０は、ネットワークＮＷ内の他のノード（マクロ基地局ｅＮＢ、スモール基地局ＴＰ等）と通信を実行するための要素であり、マクロ基地局ｅＮＢのネットワーク通信部２２０と同様の構成を有する。記憶部４２０は、通信制御に関する情報を記憶する。制御部４３０は、選択情報生成部４３２と選択情報通知部４３４とスケジューラ４３６を備える。制御部４３０が含む以上の各要素の動作については後述されるが、概略的には、制御部４３０は、スモールセル集約ユニットＰｈＮＢが収容する複数のスモール基地局ＴＰの統一的な制御を実行する。制御部４３０及び制御部４３０に含まれる以上の各要素は、スモールセル集約ユニットＰｈＮＢ内の不図示のＣＰＵが、記憶部４２０に記憶されたコンピュータプログラムを実行し、そのコンピュータプログラムに従って機能することにより実現される機能ブロックである。
【手続補正３】
【補正対象書類名】明細書
【補正対象項目名】００５１
【補正方法】変更
【補正の内容】
【００５１】
２（１）−２．  スモール基地局ＴＰの動的な選択動作（第２例）
図１０は、本実施形態のスモール基地局ＴＰの動的な選択動作の別の一例（第２例）である。ステップS210からS230の動作は前述の第１例と同様であるから、説明を省略する。受信レベルＬｖが最大のスモール基地局ＴＰに対応する送信点識別子ＴＰＩがユーザ装置ＵＥから報告されると（ステップS230が終了すると）、スモールセル集約ユニットＰｈＮＢの選択情報生成部４３２は、ＲＭセットが含むべきスモール基地局ＴＰの候補を選択する。本例では、選択情報生成部４３２が、本実施形態の第１例と同様に所定の基準で候補となるスモール基地局ＴＰを選択した上で、選択された複数のスモール基地局ＴＰの候補を優先度順に並べる（ソートする）。すなわち、選択情報生成部４３２は、報告された送信点識別子ＴＰＩに基づいて、第２リストＬ２が含むべき複数のスモール基地局ＴＰの送信点識別子ＴＰＩの候補を優先度順に並べた候補リストを、選択情報ＳＩとして生成する（S240）。生成された選択情報ＳＩは、選択情報通知部４３４がユーザ装置ＵＥへ通知する。
【手続補正４】
【補正対象書類名】図面
【補正対象項目名】図９
【補正方法】変更
【補正の内容】
【図９】
2014023011.tif 000001
【手続補正５】
【補正対象書類名】図面
【補正対象項目名】図１０
【補正方法】変更
【補正の内容】
【図１０】
2014023011.tif 000002
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止され、通常遊技状態と該通常遊技状態と比較して遊技者にとって有利な有利遊技状態とに制御可能な遊技機において、
特殊賞を含む複数種類の賞のうち１又は複数の賞について発生を許容することが定められた複数種類の当選役の中から、当選役を決定する当選役決定手段と、
前記通常遊技状態における第１開始条件の成立を契機として前記有利遊技状態のうち第１有利遊技状態に制御し、前記第１有利遊技状態における第２開始条件の成立を契機として、前記有利遊技状態のうち前記当選役決定手段が前記第１有利遊技状態と比較して前記特殊賞の発生を許容する当選役である特殊役を高確率で決定する第２有利遊技状態に制御する有利遊技制御手段と、
前記特殊賞の発生を可能にする停止操作の態様を報知する特殊報知演出を実行する特殊演出実行手段と、
前記第２有利遊技状態に制御されている間に、前記特殊報知演出の実行を許容する演出期間を設定する期間設定手段と、
前記演出期間の設定中に、前記特殊報知演出を実行するように前記特殊演出実行手段を制御する特殊演出制御手段と、
前記特殊賞の発生を契機として、前記有利遊技状態に制御することを許容する許容期間を延長する期間延長手段と、を備えたことを特徴とする遊技機。
【請求項２】
前記期間設定手段は、予め定めた特定開始条件の成立を契機として前記演出期間を設定するとともに、予め定めた特定終了条件が成立したことを契機として前記演出期間の設定を解除し、
前記特殊演出制御手段は、前記演出期間の非設定中に前記特殊報知演出を実行させないようになっており、
前記有利遊技制御手段は、前記第２有利遊技状態において、前記特殊役が決定されており、且つ前記特殊賞が発生されなかったことを契機として前記第１有利遊技状態に制御する請求項１に記載の遊技機。
【請求項３】
各種の制御信号を出力して機全体を制御する主制御手段と、
前記制御信号に基づき各種の演出実行手段を制御する副制御手段と、をさらに備え、
前記主制御手段には、前記当選役決定手段と、前記有利遊技制御手段と、を設け、
前記副制御手段には、
前記期間設定手段と、
前記特殊演出制御手段と、
前記期間延長手段と、
前記演出期間の設定を許容するか否かを判定する許容判定手段と、
前記許容判定手段が肯定判定している場合であって、前記当選役決定手段が前記複数種類の当選役のうち特別賞の発生を許容する特別役を決定しているときに、前記特別賞の発生を可能にする停止操作の態様を報知する特別報知演出を実行するように特別演出実行手段を制御する特別演出制御手段と、を備え、
前記第２開始条件は、前記第１有利遊技状態において前記特別賞が発生することにより成立し、
前記期間設定手段が前記演出期間を設定する契機となる特定開始条件は、前記許容判定手段が肯定判定しており、且つ前記特別賞が発生することにより成立する請求項１または２に記載の遊技機。
【手続補正２】
【補正対象書類名】明細書
【補正対象項目名】０００８
【補正方法】変更
【補正の内容】
【０００８】
上記課題を解決するために、請求項１に記載の遊技機は、遊技者による開始操作が行われることに基づいて複数列の図柄を変動させて行う１回の遊技が図柄表示手段で開始され、１回の遊技の開始に基づき各列の図柄の変動が開始された後、遊技者による停止操作に基づいて対応する列の図柄が停止され、通常遊技状態と該通常遊技状態と比較して遊技者にとって有利な有利遊技状態とに制御可能な遊技機において、特殊賞を含む複数種類の賞のうち１又は複数の賞について発生を許容することが定められた複数種類の当選役の中から、当選役を決定する当選役決定手段と、前記通常遊技状態における第１開始条件の成立を契機として前記有利遊技状態のうち第１有利遊技状態に制御し、前記第１有利遊技状態における第２開始条件の成立を契機として、前記有利遊技状態のうち前記当選役決定手段が前記第１有利遊技状態と比較して前記特殊賞の発生を許容する当選役である特殊役を高確率で決定する第２有利遊技状態に制御する有利遊技制御手段と、前記特殊賞の発生を可能にする停止操作の態様を報知する特殊報知演出を実行する特殊演出実行手段と、前記第２有利遊技状態に制御されている間に、前記特殊報知演出の実行を許容する演出期間を設定する期間設定手段と、前記演出期間の設定中に、前記特殊報知演出を実行するように前記特殊演出実行手段を制御する特殊演出制御手段と、前記特殊賞の発生を契機として、前記有利遊技状態に制御することを許容する許容期間を延長する期間延長手段と、を備えたことを要旨とする。
【手続補正３】
【補正対象書類名】明細書
【補正対象項目名】０００９
【補正方法】変更
【補正の内容】
【０００９】
請求項２に記載の発明は、請求項１に記載の遊技機において、前記期間設定手段は、予め定めた特定開始条件の成立を契機として前記演出期間を設定するとともに、予め定めた特定終了条件が成立したことを契機として前記演出期間の設定を解除し、前記特殊演出制御手段は、前記演出期間の非設定中に前記特殊報知演出を実行させないようになっており、前記有利遊技制御手段は、前記第２有利遊技状態において、前記特殊役が決定されており、且つ前記特殊賞が発生されなかったことを契機として前記第１有利遊技状態に制御することを要旨とする。
【手続補正４】
【補正対象書類名】明細書
【補正対象項目名】００１０
【補正方法】変更
【補正の内容】
【００１０】
請求項３に記載の発明は、請求項１または２に記載の遊技機において、各種の制御信号を出力して機全体を制御する主制御手段と、前記制御信号に基づき各種の演出実行手段を制御する副制御手段と、をさらに備え、前記主制御手段には、前記当選役決定手段と、前記有利遊技制御手段と、を設け、前記副制御手段には、前記期間設定手段と、前記特殊演出制御手段と、前記期間延長手段と、前記演出期間の設定を許容するか否かを判定する許容判定手段と、前記許容判定手段が肯定判定している場合であって、前記当選役決定手段が前記複数種類の当選役のうち特別賞の発生を許容する特別役を決定しているときに、前記特別賞の発生を可能にする停止操作の態様を報知する特別報知演出を実行するように特別演出実行手段を制御する特別演出制御手段と、を備え、前記第２開始条件は、前記第１有利遊技状態において前記特別賞が発生することにより成立し、前記期間設定手段が前記演出期間を設定する契機となる特定開始条件は、前記許容判定手段が肯定判定しており、且つ前記特別賞が発生することにより成立することを要旨とする。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
ヨーク部と、前記ヨーク部から径方向に突出し、先端に周方向に突出する突起を有する磁極ティース部とを有する分割鉄心を、前記磁極ティース部が内側になるように円環状に組み合わせて構成する鉄心を備えた回転電機の固定子において、
隣接する前記磁極ティース部及び隣接する前記ヨーク部に囲まれて形成される複数のスロット部の内の、所定の２つの前記スロット部に、複数の前記磁極ティース部を跨いで配設される複数のコイルを備え、
予め巻線された前記コイルの前記スロット部に収納される部分は、前記スロット部の内側を包括するように形成された連結部を有する絶縁部材で覆われている回転電機の固定子。
【請求項２】
前記絶縁部材は、フィルム状に形成され、前記コイルを取り囲んで前記絶縁部材の端部同士を係合する前記連結部としてのフックと切欠部を備えている請求項１に記載の回転電機の固定子。
【請求項３】
前記絶縁部材は、フィルム状に形成され、前記コイルを取り囲んで前記絶縁部材の端部同士を係合する前記連結部としての折り返し部を備えている請求項１に記載の回転電機の固定子。
【請求項４】
前記突起の、前記固定子の周方向の両端部内側の端部は、面取りされている請求項１乃至請求項３のいずれか１項に記載の回転電機の固定子。
【請求項５】
前記分割鉄心は、第１鉄心片と第２鉄心片を交互に所定の枚数積層してなり、
前記第１鉄心片のヨーク部の周方向の両端部には第１凹部と第１凸部を備え、
前記第２鉄心片のヨーク部の周方向の両端部には第２凸部と第２凹部を備え、
前記第１凸部は、隣り合う前記分割鉄心の前記第１鉄心片の、前記第１凹部に対して前記固定子の周方向からは嵌合できないが、隣り合う前記分割鉄心の前記第２鉄心片の前記第２凹部に対して、前記固定子の周方向から挿入可能、かつ、前記第２凹部内から、積層方向に隣り合う、前記第１鉄心片の前記第１凹部に嵌合可能な形状であり、
前記第２凸部は、隣り合う前記分割鉄心の前記第１鉄心片の前記第１凹部に対して、前記固定子の周方向から挿入可能、かつ、前記第１凹部内から、積層方向に隣り合う、前記第２鉄心片の前記第２凹部に挿入可能な形状である請求項１乃至請求項４のいずれか１項に記載の回転電機の固定子。
【請求項６】
ヨーク部と、前記ヨーク部から突出し、先端に突起を有する磁極ティース部とを有する分割鉄心を、前記磁極ティース部が内側になるように円環状に組み合わせて構成する鉄心を備えた回転電機の固定子の製造方法において、
ヨーク部とティース部を有する鉄心片を積層して前記分割鉄心を形成する分割鉄心製造工程と、
巻線治具にコイルを巻き回す巻線工程と、
巻き回された前記コイルに絶縁部材を装着する絶縁部材装着工程と、
前記コイルに絶縁部材が装着された巻線体の形状を所定の形状に成形する巻線体成型工程と、
前記巻線体成型工程を終えた複数の前記巻線体を、ぞれぞれの前記巻線体の２つの前記絶縁部材を装着した部分の間隔を拡張し、すべての前記巻線体を固定子完成時の直径よりも大きい拡張位置で治具に組み合わせて配置する巻線体配置工程と、
前記巻線体配置工程を終えて、複数の前記巻線体が組み合わされた巻線群の外周に前記分割鉄心を、前記磁極ティース部が内側を向くように等間隔に配置する分割鉄心配置工程と、
複数の前記巻線体が構成する磁極ティース挿通孔に前記分割鉄心の前記磁極ティース部を挿入する磁極ティース部挿入工程と、
前記分割鉄心の前記磁極ティース部の前記突起が、前記磁極ティース挿通孔を通過した後で、前記治具を除去し、全ての前記巻線体と、全ての前記分割鉄心を、前記固定子完成時の中心となる方向に移動させて、隣り合う前記分割鉄心の端部同士を突き合わせて結合する固定子結合工程を有する回転電機の固定子の製造方法。
【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
遊技者が操作可能な演出用操作手段を備え、前記演出用操作手段が操作されることによって演出内容を選択する選択演出が行われる遊技機において、
図柄変動ゲームの始動条件を付与する始動検知手段と、
前記始動検知手段で遊技球が検知されたことを契機に、大当りか否かの大当り判定を実行する大当り判定手段と、
前記大当り判定の判定結果に基づき、図柄変動ゲームの演出内容を選択する演出内容選択手段と、
遊技者が選択可能な複数の選択要素を選択肢として提示手段に提示させる提示制御手段と、
前記提示手段に提示された選択要素の中から、前記演出用操作手段の操作に応じて選択要素を選択する要素選択手段と、
前記演出内容選択手段によって選択された演出内容で図柄変動ゲームにおける遊技演出を展開させる演出制御手段と、を備え、
前記図柄変動ゲームの演出内容には、第１演出内容と第２演出内容を含む一方で、前記選択要素には、第１選択要素と第２選択要素と、を含み、
前記演出内容選択手段は、
前記大当り判定で大当りと判定されたときに前記第１選択要素が選択される場合、前記第２演出内容よりも前記第１演出内容を高確率で選択する一方で、前記大当り判定で大当りと判定されたときに前記第２選択要素が選択される場合、前記第１演出内容よりも前記第２演出内容を高確率で選択することを特徴とする遊技機。
【請求項２】
前記演出内容選択手段は、
前記大当り判定で大当りと判定されなかったときに前記第１選択要素が選択される場合、前記第１演出内容よりも前記第２演出内容を高確率で選択する一方で、前記大当り判定で大当りと判定されなかったときに前記第２選択要素が選択される場合、前記第２演出内容よりも前記第１演出内容を高確率で選択することを特徴とする請求項１に記載の遊技機。
【請求項３】
前記提示手段に提示される選択要素には、特定選択要素を含み、
前記提示制御手段は、前記大当り判定で大当りと判定された場合、前記特定選択要素を含む選択肢を提示手段に提示させることを特徴とする請求項１又は請求項２に記載の遊技機。
【請求項４】
前記提示手段に提示される選択要素には、予め定めた所定条件が成立した場合に選択可能な限定選択要素を含むことを特徴とする請求項３に記載の遊技機。
【請求項５】
前記大当り判定で大当りと判定された場合、図柄変動ゲームの終了後に付与する大当り遊技の種類を決定する大当り遊技決定手段を備え、
前記大当り遊技決定手段が決定する大当り遊技には、有利度合いの異なる第１大当り遊技と第２大当り遊技とを含み、前記第１大当り遊技は、前記第２大当り遊技よりも有利度合いが高くなっており、
前記要素選択手段は、
前記大当り遊技決定手段によって前記第１大当り遊技が決定されている場合、前記特定選択要素を選択可能とする一方で、前記大当り遊技決定手段によって前記第２大当り遊技が決定されている場合、前記特定選択要素を選択不能とすることを特徴とする請求項３又は請求項４に記載の遊技機。
【手続補正２】
【補正対象書類名】明細書
【補正対象項目名】０００６
【補正方法】変更
【補正の内容】
【０００６】
上記問題点を解決するために、請求項１に記載の発明は、遊技者が操作可能な演出用操作手段を備え、前記演出用操作手段が操作されることによって演出内容を選択する選択演出が行われる遊技機において、図柄変動ゲームの始動条件を付与する始動検知手段と、前記始動検知手段で遊技球が検知されたことを契機に、大当りか否かの大当り判定を実行する大当り判定手段と、前記大当り判定の判定結果に基づき、図柄変動ゲームの演出内容を選択する演出内容選択手段と、遊技者が選択可能な複数の選択要素を選択肢として提示手段に提示させる提示制御手段と、前記提示手段に提示された選択要素の中から、前記演出用操作手段の操作に応じて選択要素を選択する要素選択手段と、前記演出内容選択手段によって選択された演出内容で図柄変動ゲームにおける遊技演出を展開させる演出制御手段と、を備え、前記図柄変動ゲームの演出内容には、第１演出内容と第２演出内容を含む一方で、前記選択要素には、第１選択要素と第２選択要素と、を含み、前記演出内容選択手段は、前記大当り判定で大当りと判定されたときに前記第１選択要素が選択される場合、前記第２演出内容よりも前記第１演出内容を高確率で選択する一方で、前記大当り判定で大当りと判定されたときに前記第２選択要素が選択される場合、前記第１演出内容よりも前記第２演出内容を高確率で選択することを要旨とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の発明は、請求項１に記載の遊技機において、前記演出内容選択手段は、前記大当り判定で大当りと判定されなかったときに前記第１選択要素が選択される場合、前記第１演出内容よりも前記第２演出内容を高確率で選択する一方で、前記大当り判定で大当りと判定されなかったときに前記第２選択要素が選択される場合、前記第２演出内容よりも前記第１演出内容を高確率で選択することを要旨とする。
【手続補正５】
【補正対象書類名】明細書
【補正対象項目名】０００９
【補正方法】変更
【補正の内容】
【０００９】
請求項３に記載の発明は、請求項１又は請求項２に記載の遊技機において、前記提示手段に提示される選択要素には、特定選択要素を含み、前記提示制御手段は、前記大当り判定で大当りと判定された場合、前記特定選択要素を含む選択肢を提示手段に提示させることを要旨とする。
【手続補正６】
【補正対象書類名】明細書
【補正対象項目名】００１０
【補正方法】変更
【補正の内容】
【００１０】
請求項４に記載の発明は、請求項３に記載の遊技機において、前記提示手段に提示される選択要素には、予め定めた所定条件が成立した場合に選択可能な限定選択要素を含むことを要旨とする。
【手続補正７】
【補正対象書類名】明細書
【補正対象項目名】００１１
【補正方法】変更
【補正の内容】
【００１１】
請求項５に記載の発明は、請求項３又は請求項４に記載の遊技機において、前記大当り判定で大当りと判定された場合、図柄変動ゲームの終了後に付与する大当り遊技の種類を決定する大当り遊技決定手段を備え、前記大当り遊技決定手段が決定する大当り遊技には、有利度合いの異なる第１大当り遊技と第２大当り遊技とを含み、前記第１大当り遊技は、前記第２大当り遊技よりも有利度合いが高くなっており、前記要素選択手段は、前記大当り遊技決定手段によって前記第１大当り遊技が決定されている場合、前記特定選択要素を選択可能とする一方で、前記大当り遊技決定手段によって前記第２大当り遊技が決定されている場合、前記特定選択要素を選択不能とすることを要旨とする。
【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
遊技球が流下する遊技領域が前面側に画成された遊技盤と、前記遊技盤に設けられると共に遊技領域を流下する遊技球が入賞可能に形成された複数の入賞口と、前記遊技盤の裏側に配設されると共に前方へ開口する箱状に形成され、該遊技盤との間に画成される空間に遊技部品が配設される設置部材と、前記設置部材に配設され、前記複数の入賞口に入賞した遊技球を排出案内する球排出経路とを備えた遊技機において、
前記球排出経路は、前記入賞口毎に対応した個別排出通路を備えると共に各個別排出通路が合流する合流排出通路を備えた球排出経路部材に設けられて、当該合流排出通路の下流端部に球排出口が形成されると共に、
前記合流排出通路には、前記球排出経路部材を設置部材に取り付けた状態で、該設置部材の下面をなす下画壁部より下方に位置するよう球検出手段が配設された
ことを特徴とする遊技機。
【請求項２】
前記球排出経路部材は、前記個別排出通路および合流排出通路が前方へ開口するよう画成された本体部材と、該個別排出通路および合流排出通路の前方開口を塞いで球通路を画成する閉塞板とを備えると共に、
前記球検出手段は、制御手段に接続される本体部の前方へ偏って遊技球が通過可能な球通過部が設けられ、
前記合流排出通路は、前記本体部材の下面から下方へ延在するよう形成されると共に、該合流排出通路の経路途中に、前記球検出手段の本体部を前側から挿入して収容する収容部が形成され、当該収容部に収容した球検出手段の前端部に前記閉塞板が当接するよう構成された請求項１記載の遊技機。
【請求項３】
前記設置部材における下画壁部の前端部に、前記遊技盤に固定される支持片が設けられると共に、該支持片が前記球検出手段の配設位置より下方まで延在するよう構成された請求項１または２記載の遊技機。
【手続補正書】
【提出日】平成26年7月28日(2014.7.28)
【手続補正１】
【補正対象書類名】特許請求の範囲
【補正対象項目名】請求項１
【補正方法】変更
【補正の内容】
【請求項１】
図柄を変動させて行う図柄変動ゲームが大当りとなるか否かを判定する大当り判定手段と、前記大当り判定手段による判定結果に基づいて、図柄を変動させて行う図柄変動ゲームを表示する表示手段と、を備え、前記図柄変動ゲームにおいて予め定めた大当り表示結果が表示された場合には、遊技者に有利となる大当り遊技が生起される遊技機において、
遊技者により操作可能な演出用操作手段と、
演出を実行する演出実行手段と、
１回の図柄変動ゲーム中に段階的に実行させ、予め定められた段階数によって図柄変動ゲームが大当りとなる大当り期待度を示唆する段階演出を前記演出実行手段に対して実行させる制御を行うかを判定する段階演出判定手段と、
前記段階演出判定手段によって前記段階演出を実行させる制御を行うと判定された場合において、１回の図柄変動ゲーム中における一段階又は複数段階の段階演出のうち何れかの段階の段階演出を実行可能にする実行機会の前に予め定められた操作有効期間内に、前記演出用操作手段の操作がなかったときには、前記演出実行手段に対して段階演出に関する第１演出を実行させる制御を行う一方で、前記操作有効期間内に前記演出用操作手段の操作があったときには、前記演出実行手段に対する前記第１演出の実行を、前記第１演出とは異なる段階演出に関する第２演出の実行に切り替える制御を行う演出制御手段と、を備えた遊技機。
【手続補正２】
【補正対象書類名】特許請求の範囲
【補正対象項目名】請求項２
【補正方法】変更
【補正の内容】
【請求項２】
前記演出制御手段は、前記段階演出判定手段によって前記段階演出を実行させる制御を行うと判定された場合において、前記操作有効期間内に前記演出用操作手段の操作があったときには、１回の図柄変動ゲーム中において直前に実行された段階演出の段階数よりも大きい段階数の段階演出を前記第２演出として前記演出実行手段に対して実行させる制御を行う請求項１に記載の遊技機。
【手続補正３】
【補正対象書類名】特許請求の範囲
【補正対象項目名】請求項３
【補正方法】変更
【補正の内容】
【請求項３】
前記演出制御手段は、前記段階演出判定手段によって前記段階演出を実行させる制御を行うと判定された場合において、前記操作有効期間内に前記演出用操作手段の操作があったときには、前記演出実行手段に対して、１回の図柄変動ゲーム中において直前に実行された段階演出の段階数よりも２段階以上大きい段階数の段階演出を前記第２演出として実行可能に制御する請求項１又は請求項２に記載の遊技機。
【手続補正４】
【補正対象書類名】明細書
【補正対象項目名】０００７
【補正方法】変更
【補正の内容】
【０００７】
上記問題点を解決するために、請求項１に記載の発明は、図柄を変動させて行う図柄変動ゲームが大当りとなるか否かを判定する大当り判定手段と、前記大当り判定手段による判定結果に基づいて、図柄を変動させて行う図柄変動ゲームを表示する表示手段と、を備え、前記図柄変動ゲームにおいて予め定めた大当り表示結果が表示された場合には、遊技者に有利となる大当り遊技が生起される遊技機において、遊技者により操作可能な演出用操作手段と、演出を実行する演出実行手段と、１回の図柄変動ゲーム中に段階的に実行させ、予め定められた段階数によって図柄変動ゲームが大当りとなる大当り期待度を示唆する段階演出を前記演出実行手段に対して実行させる制御を行うかを判定する段階演出判定手段と、前記段階演出判定手段によって前記段階演出を実行させる制御を行うと判定された場合において、１回の図柄変動ゲーム中における一段階又は複数段階の段階演出のうち何れかの段階の段階演出を実行可能にする実行機会の前に予め定められた操作有効期間内に、前記演出用操作手段の操作がなかったときには、前記演出実行手段に対して段階演出に関する第１演出を実行させる制御を行う一方で、前記操作有効期間内に前記演出用操作手段の操作があったときには、前記演出実行手段に対する前記第１演出の実行を、前記第１演出とは異なる段階演出に関する第２演出の実行に切り替える制御を行う演出制御手段と、を備えたことを要旨とする。
【手続補正５】
【補正対象書類名】明細書
【補正対象項目名】０００８
【補正方法】変更
【補正の内容】
【０００８】
請求項２に記載の発明は、請求項１に記載の遊技機において、前記演出制御手段は、前記段階演出判定手段によって前記段階演出を実行させる制御を行うと判定された場合において、前記操作有効期間内に前記演出用操作手段の操作があったときには、１回の図柄変動ゲーム中において直前に実行された段階演出の段階数よりも大きい段階数の段階演出を前記第２演出として前記演出実行手段に対して実行させる制御を行うことを要旨とする。
【手続補正６】
【補正対象書類名】明細書
【補正対象項目名】０００９
【補正方法】変更
【補正の内容】
【０００９】
請求項３に記載の発明は、請求項１又は請求項２に記載の遊技機において、前記演出制御手段は、前記段階演出判定手段によって前記段階演出を実行させる制御を行うと判定された場合において、前記操作有効期間内に前記演出用操作手段の操作があったときには、前記演出実行手段に対して、１回の図柄変動ゲーム中において直前に実行された段階演出の段階数よりも２段階以上大きい段階数の段階演出を前記第２演出として実行可能に制御することを要旨とする。
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
遊技球の入球を契機に、当りか否かの当り抽選の権利が付与され得る始動口と、
前記始動口へ入球した遊技球を検知する入球検知手段と、
前記当り抽選を行う当り抽選手段と、
前記当り抽選に当選した場合に特別入賞手段の開放及び閉鎖を制御する開閉制御手段と、
領域報知手段における領域報知演出の実行を制御する領域報知演出制御手段と、を備え、
前記始動口へ遊技球が入球するまでの遊技球の転動経路を含む第１の遊技領域と、前記特別入賞手段へ遊技球が入球するまでの遊技球の転動経路を含む第２の遊技領域と、があり、
前記特別入賞手段の開放状態には、前記特別入賞手段に遊技球を入球させることの容易な第１の開放状態と、前記第１の開放状態よりも前記特別入賞手段に遊技球を入球させることの困難な第２の開放状態と、が少なくとも含まれ、
前記領域報知演出制御手段は、
前記開閉制御手段によって前記特別入賞手段の開放を前記第２の開放状態で制御されているときには前記第１の遊技領域を遊技球が転動したとしても前記領域報知演出の実行を制御しない一方、前記開閉制御手段によって前記特別入賞手段の開放が前記第１の開放状態で制御されているときに前記第１の遊技領域を遊技球が転動した場合には報知予備期間を設定し、当該報知予備期間の設定中に再び前記第１の遊技領域を遊技球が転動した場合には前記領域報知演出の実行を制御することを特徴とする遊技機。
【請求項２】
前記当り抽選に当選した場合には前記特別入賞手段が開放及び閉鎖される当り遊技が付与され、
前記領域報知演出制御手段は、
前記当り遊技が付与されていないときに前記第２の遊技領域を遊技球が転動した場合には特別用の報知予備期間を設定し、当該特別用の報知予備期間の設定中に再び前記第２の遊技領域を遊技球が転動した場合には前記領域報知演出の実行を制御することを特徴とする請求項１に記載の遊技機。
【請求項３】
遊技機への電源供給の遮断時における遊技状態を記憶保持可能な記憶保持手段と、
前記遊技球への電源供給が再開された際に、前記記憶保持手段によって記憶保持されている遊技状態へ復帰させる復帰手段と、
前記復帰手段による遊技状態の復帰に伴って前記特別入賞手段の開放が再開されるとき、当該特別入賞手段の開放状態を確認する開放状態確認手段と、
前記開閉制御手段によって前記特別入賞手段が開放されているとき、前記特別入賞手段が開放されていることを遊技者に報知する開放報知演出を開放報知手段に実行させる開放報知演出制御手段と、を備え、
前記開放報知演出制御手段は、
前記開放状態確認手段によって前記特別入賞手段の開放状態が前記第１の開放状態であることが確認された場合は前記開放報知演出の実行状態を第１の実行状態とする一方、前記開放状態確認手段によって前記特別入賞手段の開放状態が前記第２の開放状態であることが確認された場合は前記開放報知演出の実行状態を前記第１の実行状態とは異なる第２の実行状態とすることを特徴とする請求項１又は請求項２に記載の遊技機。
【請求項４】
前記入球検知手段が遊技球を検知することで前記第１の遊技領域を遊技球が転動したと判断されることを特徴とする請求項１〜請求項３のうち何れか一項に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、遊技球の入球を契機に、当りか否かの当り抽選の権利が付与され得る始動口と、前記始動口へ入球した遊技球を検知する入球検知手段と、前記当り抽選を行う当り抽選手段と、前記当り抽選に当選した場合に特別入賞手段の開放及び閉鎖を制御する開閉制御手段と、領域報知手段における領域報知演出の実行を制御する領域報知演出制御手段と、を備え、前記始動口へ遊技球が入球するまでの遊技球の転動経路を含む第１の遊技領域と、前記特別入賞手段へ遊技球が入球するまでの遊技球の転動経路を含む第２の遊技領域と、があり、前記特別入賞手段の開放状態には、前記特別入賞手段に遊技球を入球させることの容易な第１の開放状態と、前記第１の開放状態よりも前記特別入賞手段に遊技球を入球させることの困難な第２の開放状態と、が少なくとも含まれ、前記領域報知演出制御手段は、前記開閉制御手段によって前記特別入賞手段の開放を前記第２の開放状態で制御されているときには前記第１の遊技領域を遊技球が転動したとしても前記領域報知演出の実行を制御しない一方、前記開閉制御手段によって前記特別入賞手段の開放が前記第１の開放状態で制御されているときに前記第１の遊技領域を遊技球が転動した場合には報知予備期間を設定し、当該報知予備期間の設定中に再び前記第１の遊技領域を遊技球が転動した場合には前記領域報知演出の実行を制御することを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記当り抽選に当選した場合には前記特別入賞手段が開放及び閉鎖される当り遊技が付与され、前記領域報知演出制御手段は、前記当り遊技が付与されていないときに前記第２の遊技領域を遊技球が転動した場合には特別用の報知予備期間を設定し、当該特別用の報知予備期間の設定中に再び前記第２の遊技領域を遊技球が転動した場合には前記領域報知演出の実行を制御することを要旨とする。
【手続補正４】
【補正対象書類名】明細書
【補正対象項目名】００１０
【補正方法】変更
【補正の内容】
【００１０】
請求項４に記載の発明は、請求項１〜請求項３のうち何れか一項に記載の遊技機において、前記入球検知手段が遊技球を検知することで前記第１の遊技領域を遊技球が転動したと判断されることを要旨とする。